(57)【要約】      （修正有）【課題】二種の光線を照射できる機能を維持しつつ、筐体の小さい照明装置を提供する。【解決手段】開口部を有する筐体内に第一光源１２及び第二光源１３を設けた照明装置１であって、前記筐体の開口部方向に照射される第一光源からの中広角配光を遮蔽する遮蔽部を備える。前記遮蔽部は、第一光源と第二光源との間に配置され、第一光源と、遮蔽部と、第二光源とが、筐体の開口部方向略同一直線上に設けられている。【選択図】図３
2019160567.tif 000002
【特許請求の範囲】
【請求項１】
開口部を有する筐体内に第一光源及び第二光源を設けた照明装置であって、
前記筐体の開口部方向に照射される前記第一光源からの中広角配光を遮蔽する遮蔽部を備え、
前記遮蔽部は前記第一光源と前記第二光源との間に配置され、
前記第一光源と、前記遮蔽部と、前記第二光源とが、前記筐体の開口部方向略同一直線上に設けられていることを特徴とする、照明装置。
【請求項２】
開口部を有する筐体内に第一光源及び第二光源を設けた水中用の照明装置であって、
前記筐体の開口部方向に照射される前記第一光源からの中広角配光を遮蔽する遮蔽部と、
前記筐体の前記開口部を塞ぐよう配置された透光性を有する防水壁と、
を備え、
前記遮蔽部は前記第一光源と前記第二光源との間に配置され、
前記第一光源と、前記遮蔽部と、前記第二光源とが、前記筐体の開口部方向略同一直線上に設けられ、かつ、前記筐体と前記防水壁とで囲われた内部に設けられていることを特徴とする、照明装置。
【請求項３】
前記第二光源が前記遮蔽部に設けられていることを特徴とする、請求項１又は２に記載の照明装置。
【請求項４】
前記照明装置は、さらに、
前記筐体と前記遮蔽部とを連結する一又は二以上の支持部を備え、
前記遮蔽部と少なくとも一つの前記支持部は、熱伝導性部材を備えることを特徴とする、請求項１〜３の何れか１項に記載の照明装置。
【請求項５】
前記熱伝導性部材は、アルミニウムを含むことを特徴とする、請求項４に記載の照明装置。
【請求項６】
前記照明装置は、さらに、切替手段を備え、
前記切替手段は、少なくとも前記第一光源の点灯状態と、前記第二光源の点灯状態と、を切り替える手段であることを特徴とする、請求項１〜５の何れか１項に記載の照明装置。
【請求項７】
請求項１〜６の何れか１項に記載の照明装置を備える、撮影装置。
【発明の詳細な説明】
【技術分野】
【０００１】
本発明は照明装置、特に、水中用の照明装置に関する。
【背景技術】
【０００２】
スクーバダイビング等のアクティビティを通して、水中環境下の生物、自然物、等の写真を撮影することが広く行われている。水中環境下の生物、自然物、等の写真を撮影するときには、撮影機材と併用して照明装置が用いられる。
【０００３】
水中用の照明装置には、被写体となる魚等を探すときには広い範囲を照らす光線、魚等を指し示すときには狭い範囲を照らす輪郭のはっきりした光線が求められる。そのため水中環境下での撮影に用いられる照明装置には、一つの照明装置から複数種の光線の照射を可能とする手法が求められていた。
【０００４】
一つの照明装置から複数種の光線の照射を可能とする手法として、照射範囲の異なる二種の光源を備える照明装置が知られている（特許文献１  図４  参照）。
【０００５】
ところで、先行文献２には、磁石（特許文献２  代表図  符号１０２）をレンズの中心に取り付けることによって、光漏れに起因した望ましくないグレアを低減する技術が記載されている（特許文献２  ［００９４］）。
【先行技術文献】
【特許文献】
【０００６】
【特許文献１】特開２００５−１５８６９９号公報
【特許文献２】特開２０１５−２２８３８３号公報
【発明の概要】
【発明が解決しようとする課題】
【０００７】
ダイバーは重器材、軽器材、残圧計、水深計、コンパス等の多種の機器を保持した状態で潜水を行う。そのため、潜水時に持ち込む器材としては、可能な限り小さなものが求められていた。
【０００８】
特許文献１に記載の照明装置は、アパーチャー部（枠部）に通す光の角度を変更することにより、第１の光源と第２の光源の照射範囲の差異を生じさせている。このような構成とすると、必ず二種の光源が幅広に設けられる構成となるため、光源を収める筐体が大きくなることが課題としてあった。
【０００９】
上記事情に鑑みなされた本発明は、二種の光線を照射できる機能を維持しつつ、筐体の小さい照明装置を提供することを課題とする。
また、本発明は、二種の光線を照射できる機能を維持しつつ、筐体の小さい水中用の照明装置を提供することを課題とする。
【課題を解決するための手段】
【００１０】
上記事情に鑑みなされた本発明は、開口部を有する筐体内に第一光源及び第二光源を設けた照明装置であって、
前記筐体の開口部方向に照射される前記第一光源からの中広角配光を遮蔽する遮蔽部を備え、
前記遮蔽部は前記第一光源と前記第二光源との間に配置され、
前記第一光源と、前記遮蔽部と、前記第二光源とが、前記筐体の開口部方向略同一直線上に設けられていることを特徴とする、照明装置である。
【００１１】
本発明の照明装置によれば、第一光源と、遮蔽部と第二光源とが筐体の開口部方向略同一直線上に設けられているため、二種の光線を照射できる機能を維持しつつ筐体を小さくすることができる。
【００１２】
また、本発明は、開口部を有する筐体内に第一光源及び第二光源を設けた水中用の照明装置であって、
前記筐体の開口部方向に照射される前記第一光源からの中広角配光を遮蔽する遮蔽部と、
前記筐体の前記開口部を塞ぐよう配置された透光性を有する防水壁と、
を備え、
前記遮蔽部は前記第一光源と前記第二光源との間に配置され、
前記第一光源と、前記遮蔽部と、前記第二光源とが、前記筐体の開口部方向略同一直線上に設けられ、かつ、前記筐体と前記防水壁とで囲われた内部に設けられていることを特徴とする、照明装置でもある。
【００１３】
本発明の照明装置によれば、第一光源と遮蔽部と第二光源とが、筐体の開口部方向略同一直線上に設けられているため、二種の光線を照射できる機能を維持しつつ筐体を小さくすることができる。また、本発明の照明装置は、第一光源と遮蔽部と第二光源とが、筐体と防水壁とで囲われた内部に設けられているため、水中環境下での使用に特に適している。
【００１４】
また、本発明の好ましい実施の形態では、前記第二光源が前記遮蔽部に設けられていることを特徴とする。
このような形態の照明装置によれば、第二光源が遮蔽部に設けられているため、第二光源が遮蔽部の一部を兼ねる構成とすることができる。
【００１５】
また、本発明の好ましい実施の形態では、前記照明装置は、さらに、
前記筐体と前記遮蔽部とを連結する一又は二以上の支持部を備え、
前記遮蔽部と少なくとも一つの前記支持部は、熱伝導性部材を備える。
このような形態の照明装置は、遮蔽部と少なくとも一つの支持部が熱伝導性部材を備えるため、第二光源の放熱を効率よくすることができる。また、このような形態の照明装置は、遮蔽部と少なくとも一つの支持部が熱伝導性部材を備える形態であるため、不必要に第一光源からの光線を遮蔽することがない。
【００１６】
また、本発明の好ましい形態では、前記熱伝導性部材は、アルミニウムを含む。
【００１７】
また、本発明の好ましい形態では、前記照明装置は、さらに、切替手段を備え、
前記切替手段は、少なくとも前記第一光源の点灯状態と、前記第二光源の点灯状態と、を切り替える手段であることを特徴とする。
このような形態の照明装置は、照明装置から照射される二種の光線（第一光線Ａ及び第二光線Ｂ）を瞬時に切り替えることができる（図３  参照）。
【００１８】
また、本発明は、前述の照明装置を備える撮影装置でもある。
【発明の効果】
【００１９】
本発明によれば、二種の光線を照射できる機能を維持しつつ、筐体の小さい照明装置を提供することができる。
また、本発明の好ましい形態によれば、二種の光線を照射できる機能を維持しつつ、筐体の小さい水中用の照明装置を提供することができる。
【図面の簡単な説明】
【００２０】
【図１】（ａ）  本実施例の照明装置の平面図である。（ｂ）  本実施例の照明装置の正面視における、断面図である。
【図２】（ａ）  本実施例の照明装置の底面斜視図である。（ｂ）  図２（ａ）の断面図である。
【図３】（ａ）  本実施例の照明装置の正面視における、第一光源の照射範囲を示す模式図である。（ｂ）  本実施例の照明装置の正面視における、第二光源の照射範囲を示す模式図である。
【図４】本実施例の第一光源から照射される光線の集光機能を示す参考模式図である。
【発明を実施するための形態】
【００２１】
以下、本実施例の照明装置１について説明するが、本発明の技術的範囲は実施例に限定されないことは言うまでもない。
【００２２】
本実施例の照明装置１は、筐体１１内に、第一光源１２と、第二光源１３と、遮蔽部１４と、を備える（図１〜図４  参照）。
ここで、遮蔽部１４は、筒状の筐体１１の開口部１１１方向に照射される第一光源１２からの中広角配光Ａ２を遮蔽する部材である。そして、遮蔽部１４は、第一光源１２と第二光源１３との間に配置されている（図１〜図３  参照）。
また、第一光源１２と、第二光源１３と、遮蔽部１４とは、筐体１１の開口部１１１方向略同一直線上に設けられている（図１〜図３  参照）。
このような照明装置とすることで、二種の光線を照射できる機能を維持しつつ筐体を小さくすることができる（図３（ａ）、図３（ｂ）  参照）。
【００２３】
また、水中用の照明装置である本実施例の照明装置１は、さらに、透光性を有する防水壁１６を備える。
ここで、防水壁１６は、筐体１１の開口部１１１を塞ぐよう配置されている（図１〜図３  参照）。
そして、第一光源１２と、第二光源１３と、遮蔽部１４とは、筐体１１と防水壁１６とで囲われた内部に設けられている（図１〜図３  参照）。
このような構成を有する水中用の照明装置１は、第一光源１２と遮蔽部１４と第二光源１３とが浸水しない構造であるため、水中での使用に適している。
また、このような構成を有する照明装置１は、照明装置の筐体１１を小さくすることができるため、水中での使用に適している。
【００２４】
ここで、本明細書における「透光性を有する」は、第一光線Ａ及び第二光線Ｂを透過することのできる性質を意味する。また、本明細書において「透光性を有する防水壁」には、半透明の材料を含む壁体、及び透明の材料を含む壁体、の双方の意味を含む。
【００２５】
透光性を有する防水壁１６としては、ガラス材料及び／又は樹脂材料を含む壁体を好ましく挙げることができる。中でも、透光性を有する防水壁１６は、ガラス、アクリル樹脂、ポリカーボネート樹脂から選ばれる１又は２以上の材料を含む壁体であることが特に好ましい。
ガラス、アクリル樹脂、ポリカーボネート樹脂から選ばれる１又は２以上の材料を含む壁体を備える照明装置１は、防水（耐水）性及び透光性に優れるため、より水中での使用に適している。
【００２６】
以下、本実施例の照明装置１の第一光源１２、及び第一光源１２から照射される第一光線Ａについて図１〜４を用いてさらに詳細に説明する。
【００２７】
本実施例において、第一光源１２は、集光のためのレンズ１２１を有する発光ダイオード（ＬＥＤ）である（図１〜図３  参照）。
第一光源１２が発光ダイオード（ＬＥＤ）であることで、照明装置全体の発熱をより抑えることができる。ただし、第一光源１２の光源の種類に特に制限はなく、例えば、ハロゲンランプ、ＨＩＤランプ、白熱電球、シリカランプ、ミニクリプトンランプであってもよい。
【００２８】
第一光源１２に関し、第一光源１２の大きさ、形状に特に制限はない。また、第一光源１２が発する光線の色相、色温度にも、特に制限はない。
【００２９】
また、第一光源１２は、必ずしも単一の光源からなる必要はなく、２以上の光源の集合体からなる光源であってもよい。２以上の光源の集合体からなる光源としては、例えば、Ｒ（赤）Ｇ（緑）Ｂ（青）の発光ダイオードの集合体からなる光源を挙げることができる。
【００３０】
次に、図４を参照し、第一光源１２から照射される第一光線Ａについて説明する。
【００３１】
図１、図２に示されているとおり、遮蔽部１４と第一光源１２は、筐体１１の開口部１１１方向略同一直線上に設けられている。
遮蔽部１４と第一光源１２とが筐体１１の開口部１１１方向略同一直線上に設けられていることで、遮蔽部１４は筐体１１の開口部１１１方向に照射される第一光源１２からの中広角配光Ａ２を遮蔽する（図４  参照）。
そして、遮蔽部１４が第一光源１２の中央付近から放たれる中広角配光Ａ２を遮蔽することで、第一光源１２は輪郭のはっきりした第一光線Ａのみを照射することができる（図３（ａ）、図４  参照）。
【００３２】
本実施例において、遮蔽部１４は円盤形状である（図１  図２  参照）。遮蔽部１４が円盤形状であることで、筐体１１の開口部１１１方向に照射される第一光源１２からの中広角配光Ａ２を効率よく遮蔽することができる（図３、図４  参照）。
【００３３】
また、第一光源１２には、投光面１２１１が設けられている側と反対側に、放熱盤１２２が設けられている。このような形態である照明装置１は、第一光源１２から発生する熱を効率よく排出することができる。
【００３４】
また、第一光源１２には、投光面１２１１が設けられている側と反対側に、、第一光源１２の配線（リード線）１２３が設けられている。このような形態である照明装置１は、第一光源１２を発光させるための回路（配線）を効率よく得ることができる。
【００３５】
以下、本実施例の照明装置１の第二光源１３、及び第二光源１３から照射される第二光線Ｂについて図１〜４を用いてさらに詳細に説明する。
【００３６】
本実施例において、第二光源１３は、発光ダイオード（ＬＥＤ）である（図１〜図３  参照）。第二光源１３が発光ダイオード（ＬＥＤ）であることで、照明装置全体の発熱をより抑えることができる。
【００３７】
ただし、第二光源１３の光源の種類に特に制限はなく、例えば、ハロゲンランプ、ＨＩＤランプ、白熱電球、シリカランプ、ミニクリプトンランプであってもよい。
【００３８】
第二光源１３に関し、第二光源１３の大きさ、形状に特に制限はない。また、第二光源１３が発する光線の色相、色温度にも、特に制限はない。
【００３９】
また、第二光源１３は、必ずしも単一の光源からなる必要はなく、２以上の光源の集合体からなる光源であってもよい。２以上の光源の集合体からなる光源としては、例えば、Ｒ（赤）Ｇ（緑）Ｂ（青）の三色の発光ダイオードの集合体からなる光源を挙げることができる。
【００４０】
なお、第二光源１３は、広角に広がる光線を照射することのできる光源であることが好ましい（図３（ｂ）  参照）。第二光源１３が広角に広がる光線を照射することのできる光源であることで、第一光線Ａとの照射範囲の差が顕著となるため、より好ましい（図３  参照）。
【００４１】
また、本実施例において、第二光源１３は遮蔽部１４に設けられている（図１  図２  参照）。このような形態であることで、照明装置１の筐体１１をより小さくすることができる。
【００４２】
ここで、図１、図２に示されているとおり、本実施例の照明装置１は３つの支持部１５を有し、該支持部１５は遮蔽部１４と筐体１１とを連結している。
また、３つの支持部１５は、遮蔽部１４を中心に放射状に延びる形態である（図１（ａ）、図２（ａ）  参照）。
このような構成とすることで、照明装置における遮蔽部１４が安定する。また、このような構成とすることで、第二光源１３が遮蔽部１４に設けられている形態である場合に第二光源１３が安定するため、より好ましい。
ただし、支持部１５は、支持部１５が遮蔽部１４と筐体１１とを連結していれば、支持部１５の数、形状、材質に特に制限はない。
【００４３】
また、本実施例において、遮蔽部１４と支持部１５は、第二光源１３が配置されている側の反対側に、熱伝導性部材１７を備える。
ここで、本明細書において「熱伝導性部材１７」は、少なくとも熱伝導性を有する部材を指す。
このような形態である照明装置１は、第二光源から発生する熱を効率よく排出することができる。また、このような形態であることで、熱伝導性部材１７が不必要に第一光源からの光線を遮蔽しない。
【００４４】
特に、筐体１１に必ず防水壁を設けなくてはいけない水中用の照明装置（図１〜図４  参照）は筐体１１の開口部１１１から熱を排出することができない。そのため、水中用の照明装置の場合には、遮蔽部１４と支持部１５が熱伝導性部材１７を備える形態とすることが特に望ましい。
【００４５】
ここで、熱伝導性部材１７は、金属を含む材料であることが好ましい。中でも、アルミニウムを含む材料を好ましく挙げることができる。
熱伝導性部材１７がアルミニウムを含む材料であることで、より安価に照明装置１を製造することができる。
【００４６】
なお、本実施例において、全ての支持部１５が熱伝導性部材１７を備える形態である。
ただし、全ての支持部１５が熱伝導性部材１７を備える形態である必要はなく、少なくとも一つの支持部１５が熱伝導性部材１７を備える形態であればよい。
【００４７】
また、本実施例において、熱伝導性部材１７は、第二光源１３が配置されている側の反対側に設けられている。
ただし、熱伝導性部材１７が第二光源１３が配置されている側の反対側に設けられている形態である必要はなく、少なくとも一つの支持部１５が熱伝導性部材１７を備える形態であればよい。
【００４８】
なお、熱伝導性部材１７と、遮蔽部１４と、少なくとも一つの支持部１５とは、一体成型されていても良い。
【００４９】
次に、図１〜図３を参照し、第二光源１３から照射される第二光線Ｂについて説明する。
【００５０】
図１〜図３に示されているとおり、遮蔽部１４は、第一光源１２と第二光源１３との間に配置されている。ここで、遮蔽部１４が第一光源１２と第二光源１３との間に配置されていることで、第一光源１２からの光線（第一光線Ａ及び中広角配光Ａ２）は遮蔽部の遮蔽を受ける一方、第二光源１３からの光線（第二光線Ｂ）は遮蔽部１４の遮蔽を受けない（図３（ａ）、図３（ｂ）  参照）。
そして、第一光源１２からの光線（第一光線Ａ及び中広角配光Ａ２）が遮蔽部の遮蔽を受け、かつ、第二光源１３からの光線（第二光線Ｂ）が遮蔽部１４の遮蔽を受けない構成であるため、第二光線Ｂは第一光線Ａに比して広範囲の光線となる（図３（ａ）、図３（ｂ）  参照）。
【００５１】
以下、本実施例の照明装置１のさらに好ましい形態について説明する。
【００５２】
本実施例の照明装置１は、第一光源１２の点灯状態と、第二光源１３の点灯状態と、消灯状態と、が設定された切り替えスイッチを備える。
このような形態である照明装置１は、照明装置１から照射される二種の光線（第一光線Ａ及び第二光線Ｂ）を瞬時に切り替えることができる（図３  参照）。
【００５３】
ただし、照明装置の点灯状態を切り替える手段は、必ずしも上記の三状態が設定された切り替えスイッチである必要はなく、少なくとも第一光源１２の点灯状態と、第二光源１３の点灯状態と、切り替えることのできる切替手段であればよい。
【００５４】
また、本発明は、さらに、電源部１８を備えた形態であることがより好ましい。
【００５５】
また、本発明は、前述の形態の照明装置１を備えた撮影装置の形態であることがより好ましい。このような形態であることで、水中における撮影の際に、簡便に照射範囲の切り替えを行うことができる。
また、前述の形態の照明装置１を備えた撮影装置は、照明装置の筐体１１を小さいものとすることができるため、照明装置が撮影の邪魔となりにくい。
【００５６】
なお、本実施例において、照明装置１は異なる部品を組み合わせることにより形成されている。ただし、本発明の照明装置は必要に応じて複数の部品が一体成型されていてもよい。
【産業上の利用可能性】
【００５７】
本発明は、照明装置に応用することができる。
【符号の説明】
【００５８】
１        照明装置
１１      筐体
１１１    開口部
１２      第一光源
１２１    レンズ
１２１１  投光面
１２２    放熱盤
１２３    配線（リード線）
１３      第二光源
１４      遮蔽部
１５      支持部
１６      防水壁
１７      熱伝導性部材
１８      電源部
Ａ        第一光線
Ａ２      中広角配光
Ｂ        第二光線
【図１】
2019160567.tif 000003
【図２】
2019160567.tif 000004
【図３】
2019160567.tif 000005
【図４】
2019160567.tif 000006